(57)【特許請求の範囲】
【請求項１】
アンテナコイルを含むアンテナ部と、データ搬送用の同軸ケーブルのみを介して前記アンテナ部に接続する本体部とを備えてなり、該本体部に設けるコンピュータは、前記アンテナコイルを介してＩＣカードのＩＣチップと相互にデータ交信するとともに、前記同軸ケーブルを介して状態信号を前記アンテナ部に設ける表示手段に伝送し、該表示手段は、状態信号に応じて前記コンピュータの待機中、データ交信の完了などの動作状態を外部に表示することを特徴とする無接触形のＩＣカード用のリーダライタ装置。
【請求項２】
前記表示手段は、電圧判別回路を介して状態信号の直流電圧レベルを判別することを特徴とする請求項１記載の無接触形のＩＣカード用のリーダライタ装置。
【請求項３】
前記表示手段は、カウンタを介して状態信号のパルス数を計数することを特徴とする請求項１記載の無接触形のＩＣカード用のリーダライタ装置。
【請求項４】
前記アンテナ部には、前記表示手段用の電源回路を設けることを特徴とする請求項３記載の無接触形のＩＣカード用のリーダライタ装置。
【発明の詳細な説明】
【０００１】
【発明の属する技術分野】
この発明は、ＩＣカードとのデータ交信状態を外部から容易に認識することができる無接触形のＩＣカード用のリーダライタ装置に関する。
【０００２】
【従来の技術】
無接触形のＩＣカードとデータ交信し、必要なデータを読み出し、データを書き込むとき、ＩＣカード用のリーダライタ装置を使用する。
【０００３】
リーダライタ装置は、アンテナコイルを備えるアンテナ部と、コンピュータや、データ交信用の通信回路などを備える本体部とを組み合わせて構成されている。そこで、このものは、アンテナ部のアンテナコイルの近傍にＩＣカードを通過させるとき、本体部のコンピュータと、ＩＣカード内のＩＣチップとの間において必要なデータ交信を行ない、ＩＣカード内のデータを読み出し、新たなデータをＩＣカードに書き込むことができる。
【０００４】
【発明が解決しようとする課題】
かかる従来技術によるときは、リーダライタ装置は、アンテナ部に格別な表示手段を備えていないため、ＩＣカードとのデータ交信の成否が外部に表示されず、ＩＣカードの使用者にとって不便であるという問題があった。なお、このときの表示手段は、ＩＣカードを通過させるアンテナ部に設け、使用者が認識し易くしなければならないから、本体部からの表示用信号を単純にアンテナ部に導入すると、アンテナ部が徒らに複雑化、大形化してしまい、著しく不都合である。
【０００５】
そこで、この発明の目的は、かかる従来技術の問題に鑑み、同軸ケーブルを介して伝送される状態信号に応じて作動する表示手段をアンテナ部に設けることによって、ＩＣカードとのデータ交信状態を外部から容易に認識することができる無接触形のＩＣカード用のリーダライタ装置を提供することにある。
【０００６】
【課題を解決するための手段】
かかる目的を達成するためのこの発明の構成は、アンテナコイルを含むアンテナ部と、データ搬送用の同軸ケーブルのみを介してアンテナ部に接続する本体部とを備えてなり、本体部に設けるコンピュータは、アンテナコイルを介してＩＣカードのＩＣチップと相互にデータ交信するとともに、同軸ケーブルを介して状態信号をアンテナ部に設ける表示手段に伝送し、表示手段は、状態信号に応じてコンピュータの待機中、データ交信の完了などの動作状態を外部に表示することをその要旨とする。
【０００７】
なお、表示手段は、電圧判別回路を介して状態信号の直流電圧レベルを判別することができる。
【０００８】
また、表示手段は、カウンタを介して状態信号のパルス数を計数することができ、アンテナ部には、表示手段用の電源回路を設けることができる。
【０００９】
【作用】
かかる発明の構成によるときは、表示手段は、同軸ケーブルを介して本体部から伝送される状態信号に応じ、コンピュータの動作状態を外部に表示することができる。そこで、使用者は、ＩＣカードをアンテナ部の近傍に通過させるとき、表示手段の表示内容によりＩＣカードとリーダライタ装置とのデータ交信の成否を認識することができる。また、本体部は、データ搬送用の同軸ケーブルのみによりアンテナ部に接続し、アンテナ部の表示手段を作動させることができるから、全体の配線構造を簡単にするとともに、アンテナ部が徒らに大形化、複雑化するおそれがない。なお、表示手段は、たとえば１または２以上の発光ダイオードの点滅を組み合わせ、または液晶パネルなどの表示器を使用して、コンピュータの待機中、データ交信中、データ交信の完了、データ交信中のデータエラー発生などの動作状態を外部に表示することができる。また、表示手段には、必要に応じてブザ、ベル、チャイムなどの音響発生器具を組み合わせてもよい。
【００１０】
表示手段は、状態信号の直流電圧レベルを判別することにより、コンピュータの動作状態を表示することができる。なお、このときの表示手段は、状態信号を電源として作動させることにより、アンテナ部の構成を最も簡単にすることができる。
【００１１】
表示手段は、状態信号のパルス数を計数することにより、コンピュータの多様な動作状態を明確に表示することができる。状態信号は、たとえば規定時間内に発生するパルス数を変えることにより、各種の動作状態を表わすことができるからである。
【００１２】
アンテナ部に設ける電源回路は、ＩＣカードのＩＣチップを作動させるための電源用搬送波を利用して表示手段に給電し、表示手段が液晶パネルなどであっても、必要な電力を適切に供給することができる。
【００１３】
【発明の実施の形態】
以下、図面を以って発明の実施の形態を説明する。
【００１４】
無接触形のＩＣカード用のリーダライタ装置は、アンテナコイル１１を含むアンテナ部１０と、コンピュータＣＰＵを内蔵する本体部２０とを備えてなる（図１）。なお、リーダライタ装置は、アンテナコイルＡＴ付きのＩＣチップＩＣを有するＩＣカードＣＤと組み合わせて使用する。
【００１５】
アンテナ部１０、本体部２０は、同軸ケーブルＣＶを介して接続されている。アンテナ部１０において、アンテナコイル１１は、共振用のコンデンサＣ1 、Ｃ2 とともに同軸ケーブルＣＶ側に接続され、コイルＬ1 、コンデンサＣ3 の直列回路が同軸ケーブルＣＶ側に分岐接続されている。コイルＬ1 、コンデンサＣ3 の接続点には、電圧判別回路１２、表示手段１３が接続されている。表示手段１３は、抵抗Ｒ1 、発光ダイオードＬＥＤ1 の直列回路と、ブザＢz と、抵抗Ｒ2 、発光ダイオードＬＥＤ2 の直列回路とが並列に接続されており、発光ダイオードＬＥＤ1 、ブザＢz は、共通のトランジスタＴr1を介して接地され、発光ダイオードＬＥＤ2 は、トランジスタＴr2を介して接地されている。また、電圧判別回路１２の出力は、トランジスタＴr1、Ｔr2のベースに個別に接続されている。
【００１６】
本体部２０において、コンピュータＣＰＵの出力端子１は、送信回路ＴＸ、結合用のコンデンサＣa を介して同軸ケーブルＣＶに接続されており、入力端子２には、受信回路ＲＸ、結合用のコンデンサＣb を介して同軸ケーブルＣＶが接続されている。また、コンピュータＣＰＵの別の出力は、制御信号Ｓb として直流電圧発生回路２１に入力され、直流電圧発生回路２１の出力は、コイルＬa を介して同軸ケーブルＣＶに接続されている。なお、本体部２０は、外部電源ＰＬにより給電されている。
【００１７】
本体部２０のコンピュータＣＰＵは、アンテナ部１０のアンテナコイル１１に近接するＩＣカードＣＤのＩＣチップＩＣとの間において、送信回路ＴＸ、受信回路ＲＸを介して相互に通信し、必要なデータ交信をすることができる。すなわち、コンピュータＣＰＵは、送信回路ＴＸ、同軸ケーブルＣＶ、アンテナコイル１１を介し、高周波の電源用搬送波にデータを重畳してＩＣチップＩＣに送信し、ＩＣチップＩＣは、アンテナコイルＡＴを介して受信する電源用搬送波により起動し、コンピュータＣＰＵからのデータを受信して、必要なデータを送信する。また、コンピュータＣＰＵは、アンテナコイル１１、同軸ケーブルＣＶ、受信回路ＲＸを介してＩＣチップＩＣからのデータを受信する。
【００１８】
コンピュータＣＰＵは、動作状態に応じて制御信号Ｓb を出力し、コイルＬa 、同軸ケーブルＣＶを介してアンテナ部１０に伝送する直流電圧発生回路２１からの状態信号Ｓa の直流電圧レベルＶを高レベル、低レベルに切り換える。すなわち、コンピュータＣＰＵは、ＩＣカードＣＤとデータ交信しない待機中のとき、状態信号Ｓa の直流電圧レベルＶ＝Ｖa とし、ＩＣカードＣＤとのデータ交信が正常に完了すると、たとえば１秒間程度の短時間だけ状態信号Ｓa の直流電圧レベルＶ＝Ｖb ＞Ｖa に変化させる。
【００１９】
一方、電圧判別回路１２は、同軸ケーブルＣＶ、コイルＬ1 を介して入力される状態信号Ｓa の直流電圧レベルＶ＝Ｖa のとき、トランジスタＴr1を非導通にしてトランジスタＴr2を導通させ、発光ダイオードＬＥＤ2 を発光させる。また、電圧判別回路１２は、状態信号Ｓa の直流電圧レベルＶ＝Ｖb を検出すると、トランジスタＴr1を導通させてトランジスタＴr2を非導通にし、発光ダイオードＬＥＤ1 を発光させてブザＢz を作動させる。
【００２０】
すなわち、表示手段１３は、発光ダイオードＬＥＤ2 を発光させてコンピュータＣＰＵが待機中であることを外部に表示し、発光ダイオードＬＥＤ1 を発光させるとともにブザＢz を作動させて、コンピュータＣＰＵとＩＣカードＣＤとのデータ交信が正常に行なわれたことを短時間だけ外部に表示することができる。また、表示手段１３は、コンピュータＣＰＵとＩＣカードＣＤとのデータ交信が正常に終了し、コンピュータＣＰＵが待機中に復帰したことを発光ダイオードＬＥＤ2 の再発光により表示する。よって、表示手段１３は、電圧判別回路１２を介して状態信号Ｓa の直流電圧レベルＶを判別し、その結果をコンピュータＣＰＵの動作状態として外部に表示することができる。
【００２１】
なお、コンピュータＣＰＵは、直流電圧発生回路２１からの状態信号Ｓa の直流電圧レベルＶ＝Ｖb をパルス状に継続して断続させ、発光ダイオードＬＥＤ1 を点滅させるとともにブザＢz を間欠的に作動させることにより、ＩＣカードＣＤとのデータ交信中に生じたデータエラーや、ＩＣカードＣＤの動作不良などを表示することができる。また、コンピュータＣＰＵは、ＩＣカードＣＤとのデータ交信が正常に終了したときに代えて、データ交信中において、またはデータ交信の開始から短時間だけ、状態信号Ｓa の直流電圧レベルＶ＝Ｖb としてもよい。
【００２２】
【他の実施の形態】
本体部２０には、コンピュータＣＰＵからの制御信号Ｓb によりパルス信号を状態信号Ｓa として出力するパルス発生回路２２を設けてもよい（図２）。コンピュータＣＰＵは、待機中であるとき、たとえば規定時間Ｔ内に１パルスの状態信号Ｓa をパルス発生回路２２から出力させる（図３（Ａ））。また、コンピュータＣＰＵは、ＩＣカードＣＤとのデータ交信中において、２パルスの状態信号Ｓa をパルス発生回路２２から出力させ（同図（Ｂ））、ＩＣカードＣＤとのデータ交信中にデータエラーが発生したとき、ｎ（ｎ≧３）パルスの状態信号Ｓa をパルス発生回路２２から出力させる（同図（Ｃ））。すなわち、状態信号Ｓa は、規定時間Ｔ内のパルス数によりコンピュータＣＰＵの動作状態を示す。
【００２３】
アンテナ部１０の表示手段１３は、カウンタ１３ａ、デコーダ１３ｂ、表示器１３ｃを縦続して構成されている（図２）。カウンタ１３ａは、コイルＬ1 を介して同軸ケーブルＣＶ側に分岐接続されており、アンテナ部１０には、表示手段１３用の電源回路１４が内蔵されている。電源回路１４は、同軸ケーブルＣＶ側に分岐接続され、整流用のダイオードＤ1 の他、抵抗Ｒ5 、コンデンサＣ5 、Ｃ6 を組み合わせて構成されている。
【００２４】
そこで、電源回路１４は、同軸ケーブルＣＶを介して伝送される本体部２０からの電源用搬送波の一部を整流し、カウンタ１３ａ、デコーダ１３ｂ、表示器１３ｃに給電して表示手段１３を作動させることができる。また、カウンタ１３ａは、本体部２０からの状態信号Ｓa の規定時間Ｔ内のパルス数を計数し、デコーダ１３ｂ、表示器１３ｃを介して文字や絵、記号などを表示し、コンピュータＣＰＵの待機中、データ交信中、データエラー発生等の動作状態を外部に表示することができる。
【００２５】
【発明の効果】
以上説明したように、この発明によれば、同軸ケーブルを介してアンテナ部と本体部とを接続し、アンテナ部に表示手段を設けることによって、表示手段は、本体部からの状態信号に応じてコンピュータの動作状態を外部に表示することができるから、ＩＣカードとのデータ交信状態を外部から容易に認識することができる上、状態信号は、電源用搬送波を伝送するために本来的に必要な同軸ケーブルを介して伝送されるから、アンテナ部が不当に複雑になったり、大形化したりするおそれがないという優れた効果がある。
【図面の簡単な説明】
【図１】  全体構成電気回路図
【図２】  他の実施の形態を示す図１相当図
【図３】  図２の動作説明図
【符号の説明】
ＣＰＵ…コンピュータ
ＣＤ…ＩＣカード
ＩＣ…ＩＣチップ
ＣＶ…同軸ケーブル
Ｓa …状態信号
Ｖ…直流電圧レベル
１０…アンテナ部
１１…アンテナコイル
１３…表示手段
１４…電源回路
２０…本体部
【図１】
0004699601.tif 000002
【図２】
0004699601.tif 000003
【図３】
0004699601.tif 000004